(57)【要約】【課題】視聴者がテレビジョン番組とウェブページを連携付けを行い、簡単にウェブページにアクセスすることが可能な装置を提供する。【解決手段】視聴中ないし直前に試聴していたテレビ番組の番組名などのＥＰＧ情報を登録ブックマーク登録時に付加して記憶する。テレビ番組視聴中にウェブページ閲覧を行うときに視聴中番組のＥＰＧ情報で登録済ブックマークを検索し、該当するブックマークがある場合、そのウェブページを自動的に表示する。【選択図】図１
2006041856.tif 000002
【特許請求の範囲】
【請求項１】
電子プログラムガイド機能をもつテレビ受信機能とブックマーク機能をもつウェブページ閲覧機能を兼ね備えた装置であって、前記ブックマークにブックマークエントリとしてページを登録する際に、前記テレビ受信機能で現在視聴している、ないし直前に視聴していた番組のプログラム情報を該ブックマークエントリに記憶する機能を持たせた装置。
【請求項２】
請求項１記載の装置にあって、現在視聴している、ないし直前に視聴していた番組のプログラム情報に含まれる情報のリストを表示し、視聴者がリストから選択した情報をブックマークエントリに記憶することを特徴とする装置。
【請求項３】
電子プログラムガイド機能をもつテレビ受信機能とブックマーク機能をもつウェブページ閲覧機能を兼ね備えた装置であって、前記ブックマークにブックマークエントリとしてページに付随して、番組のプログラム情報を記憶する機能を持ち、テレビ受信機能を使用して番組視聴中にウェブページ閲覧機能の使用開始する場合、視聴中の番組のプログラム情報をもとに前記ブックマークを検索し、該当するブックマークエントリが存在する場合はそのエントリに記載されたウェブページを最初に表示する機能をもつ装置。
【請求項４】
電子プログラムガイド機能をもつテレビ受信機能とブックマーク機能をもつウェブページ閲覧機能を兼ね備えた装置であって、前記ブックマークにブックマークエントリとしてページに付随して、番組のプログラム情報を記憶する機能を持ち、テレビ受信機能を使用して番組視聴中にウェブページ閲覧機能の使用開始する場合、視聴中の番組のプログラム情報に含まれる情報のリストを表示し、視聴者がリストから選択した情報をもとに前記ブックマークを検索し、該当するブックマークエントリが存在する場合はそのエントリに記載されたウェブページを最初に表示する機能をもつ装置。
【発明の詳細な説明】
【技術分野】
【０００１】
本発明は、テレビ番組と関連したウェブページを表示するための装置に関する。
【背景技術】
【０００２】
放送衛星や通信衛星からの電波を利用したデジタルテレビジョン放送に加えて、従来アナログ放送を行っていた地上波テレビジョン放送もデジタル化されている。これらデジタルテレビジョン放送の特質を生かすデジタルデータ放送が行われており、テレビジョン番組に付加するデータを配信し、テレビジョン受信機で番組に付加する形で提示するものから、独立したデジタルデータ放送番組を提供するものまで多種多様なサービスが提供ないし計画されている。特に放送されるテレビジョン番組の情報をデジタルデータ放送で配信し、テレビジョン受信機でＥＰＧ（エレクトリック・プログラム・ガイド／電子番組表）サービスを実現し、視聴者の利便性を増大している。
【０００３】
一方インターネットの発展により、インターネット上には多種多様なウェブページが提供されており、パソコンなどを利用してそれらの情報を閲覧することが出来る。
【０００４】
さて前述のデジタルデータ放送のデータ形式は、インターネット上のウェブページを記述するデータ形式と類似した規格が用いられており、画像などの情報の表現形式も類似している。市販されているデジタルテレビジョン放送受信機にはデジタルデータ放送で配信されるデータをテレビ画面に表示するための機能（一般にブラウザーと呼ぶ）が備わっており、インターネットのウェブページを表示するに必要な資源を備えている。デジタルテレビジョン受信機が備えるデジタルデータ放送用ブラウザを流用することによって、インターネットのウェブページ閲覧機能を兼ね備えたデジタルテレビジョン受信機も発売されている。視聴者はこの受信機を使ってテレビジョン放送、デジタルデータ放送、インターネット上のウェブページを視聴、閲覧することができる。
【０００５】
特にテレビジョン放送を見ながら付随するデジタルデータ放送を閲覧するのと同様に、テレビジョン番組に関連するウェブページを閲覧したいとの要求がある。パソコンによるウェブページの閲覧は各種メディアに示されているＵＲＬ、検索エンジン、ブックマークを使って所望のウェブページを検索、閲覧することが多いが、テレビセットでは文字入力が煩雑であり、ＵＲＬや検索キーワードなど文字入力をなるべく避ける傾向にある。
【０００６】
他方、デジタルテレビジョン放送では放送されているテレビジョン番組のＥＰＧ情報が提供されており、この一部として検索キーワードやＵＲＬをＥＰＧ情報に含ませる方法が考案されている。
【０００７】
ＥＰＧ情報にＵＲＬ情報を付加する方法においては、既存のＥＰＧ情報にＵＲＬ情報を付加する必要があり、そのような情報サービス提供者が現れる必要がある。
【０００８】
また番組に対するＥＰＧ情報は放送事業者の意向を受けて作成されるので、視聴者の望むウェブページに対するＵＲＬが提供されるとは限らない。例えばクイズ番組においては情報検索ページや関連雑学に関するページ、ニュース番組においては他放送事業者系列の新聞社が提供するニュースサイト、ドラマや映画においては、それら番組のファンが独自に運営しているサイトなど、番組提供者ないし放送事業者が意図しないものさらには対抗事業者を利するものなどである。
【０００９】
電子番組表と番組に対応するＵＲＬを検索する機能を兼ね備えるサービスを提供するウェブページを構築すれば、視聴者が所望する任意の時点で、チャンネル番号、時刻などを指定し、そのウェブページへ問い合わせることによって、番組を特定しそれに対応づけたＵＲＬを答えるサービスを提供することも出来る。このサービスより、ＵＲＬ情報を付加したＥＰＧ情報を視聴者宅まで配信する必要がなく、さらにはサービス提供者側の都合により、一部番組のみに対してのみＵＲＬを答えるサービスを構築することも出来る。
【００１０】
しかし、依然検索されるＵＲＬは情報提供者となる側が作成するものであるから、視聴者の個別要求には答えることが難しい。
【００１１】
以下、本発明が前提とするデジタルテレビジョン受信機とインターネット上のウェブページ閲覧機能を併せ持つ装置（例えば、特許文献１、特許文献２参照）の一例について図２を用いて説明する。
【００１２】
図２の構成において、ＣＰＵ２０１はバス２０２に接続され、バス２０２を介して、以下に説明する装置全体の制御を司る。ＩＲ受信回路２０３は視聴者がリモートコントローラー２０４で押したボタンに対応する信号を受信し、ＣＰＵ２０１に伝える。ＲＯＭ２０５にはＣＰＵ２０１で実行するプログラムおよびデータが記憶されている。ＲＡＭ２０６はＣＰＵ２０１がプログラムを実行する上で必要とされるパラメータの格納、作業領域、処理するデータの一時記憶場所として用いる。時計２０７はＣＰＵ２０１に現在時刻を提供する。
【００１３】
ＴＶ回路２０８はＣＰＵ２０１の制御に従い、アンテナ２０９で受信したデジタル放送電波から選択したチャンネルの映像および音声信号を復調し、切替合成回路２１２を介してディスプレイ２１３とスピーカー２１４に供給される。またデジタルデータ放送は前記デジタル放送電波に重畳して伝送されており、ＴＶ回路２０８は前記復調時にデジタルデータ放送データを抽出しＣＰＵ２０１の制御により、ＲＡＭ２０６に一時的に蓄える。
【００１４】
表示回路２１０はＣＰＵ２０１の制御に従い、描画した任意の図形の映像信号を発生し、オーディオ回路２１１はＣＰＵ２０１の制御に従い、音声を発生する。これら表示回路２１０とオーディオ回路２１１の出力は切替合成回路２１２を介してディスプレイ２１３とスピーカー２１４にそれぞれ供給される。
【００１５】
切替合成回路２１２はＣＰＵ２０１の制御のもと、テレビ回路２０８の出力に含まれる映像信号および表示回路２１０の映像信号出力を、一方を択一的に出力したり、位置合成したり、半透明合成することでディスプレイ２１３上にＴＶ回路２０８が生成した映像と表示回路２１０に描画した図形等を多様な形で表示する機能をもつ。さらに切替合成回路２１２はＣＰＵ２０１の制御のもと、テレビ回路２０８の出力に含まれる音声信号およびオーディオ回路２１１の発生した音声の一方を選択あるいは合成してスピーカーから出力する。
【００１６】
通信回路２１５はインターネット２１６と通信して取得したデータをＣＰＵ２０１に伝える。なおインターネット２１６は本装置の構成要素ではなく、外部にあるものを概念的に表現したものである。
【００１７】
視聴者がリモートコントローラー２０４で視聴するチャンネルのボタンを押した場合、そのボタンに対応する信号がＩＲ受信回路２０３を経てＣＰＵ２０１に伝わる、ＣＰＵ２０１はＲＯＭ２０５に格納されたプログラムに従い動作して、ＴＶ回路２０８に選局すべきチャンネルを伝え、また切替合成回路２１２にはＴＶ回路２０８の出力をディスプレイ２１３およびスピーカー２１４へ伝えるよう指示することによって、視聴者は所望するチャンネルの番組を視聴できる。
【００１８】
次にデジタルデータ放送を閲覧する場合の動作を説明する。視聴者がリモートコントローラー２０４上に配置されたデジタルデータ放送閲覧専用のボタンを押した場合、そのボタンに対応する信号がＩＲ受信回路２０３を経てＣＰＵ２０１に伝わる。ＣＰＵ２０１はＲＯＭ２０５に格納されたプログラムに従い動作して、デジタルデータ放送閲覧プログラム（以下放送ブラウザと呼ぶ）を起動する。放送ブラウザはＲＡＭ２０６に蓄積したデジタルデータ放送データに基づいて、デジタルデータ放送の画面を表示回路２１０内に生成すると共に、切替合成回路２１２に指示して、表示回路２１０の出力と、ＴＶ回路２０８の出力を合成して、ディスプレイ２１３に表示する。またＲＯＭ２０５に内蔵された音声データやデジタルデータ放送に含まれる音声データをオーディオ回路２１１で音声信号に変換し、スピーカー２１４から出力する。
【００１９】
ＥＰＧ情報もデジタルデータ放送データとして伝送され、ＲＡＭ２０６に蓄積される。ＥＰＧ情報を元に新聞等のテレビ欄形式の画面を生成し、ディスプレイ２１３に表示することが出来るがこれについては説明を省略する。
【００２０】
視聴者がテレビジョン番組を視聴中にリモートコントローラー２０４上に配置された番組情報表示専用ボタンを押した場合、そのボタンに対応する信号がＩＲ受信回路２０３を経てＣＰＵ２０１に伝わる、ＣＰＵ２０１はＲＯＭ２０５に格納されたプログラムに従い動作して、現在視聴中のチャンネル番号と、時計２０７から得られる現在時刻を元に、ＲＡＭ２０６に蓄積したＥＰＧ情報を検索し、視聴者が現在視聴中のテレビジョン番組の番組情報を得て、画面に表示する。ここで番組情報は開始時間、終了時間、番組タイトルに加えて、番組のジャンル、番組の出演者、番組の簡単な説明なども提供されている場合も多い。これにより視聴者はこれらの番組に関する情報をテレビ画面上で簡単に確認することができる。
【００２１】
次にインターネット上のウェブページを閲覧する場合の動作を説明する。視聴者がリモートコントローラー２０４上に配置されたインターネット閲覧専用のボタンを押した場合、そのボタンに対応する信号がＩＲ受信回路２０３を経てＣＰＵ２０１に伝わる。ＣＰＵ２０１はＲＯＭ２０５に格納されたプログラムに従い動作して、インターネット閲覧ソフト（以下ブラウザーと呼ぶ）を起動する。ブラウザーは予め定められたＵＲＬのデータを通信回路２１５を介してインターネット２１６から取得し、そのデータに基づいてウェブページの画像を表示回路２１０内に生成すると共に、切替合成回路２１２に指示して、表示回路２１０の出力をディスプレイ２１３に表示する。また取得したウェブページのデータが音声データを含む場合があり、その場合はオーディオ回路２１１で音声を発生し、スピーカー２１４から出力する。
【００２２】
以上の説明ではブラウザ起動直後に特定のウェブページを閲覧する場合を説明したが、ブラウザの機能としてウェブページに含まれるリンクを辿って別のページを閲覧することや、ＵＲＬを入力することで特定のＵＲＬのウェブページを表示することも出来る。
【００２３】
次にブックマーク機能への登録機能を図３、図４を用いて説明する。複数のウェブページを順に閲覧して廻っている途中に、特定のページで後に閲覧したいページに行き着いたときに、そのページのＵＲＬを記憶しておけば、任意に直接そのＵＲＬを閲覧することが簡単に行える。
【００２４】
一般にウェブページには、その内容を表すタイトルが付与されており、視聴者はＵＲＬよりもそのタイトルでページを識別する場合が殆んどである。ブラウザのブックマーク機能とはこのタイトルとＵＲＬの組からブックマークエントリのリストであり、閲覧中のウェブページをブックマークエントリとしてブックマークに追加する機能と、ブックマークから選んだブックマークエントリのＵＲＬを閲覧する機能から構成される。また複数のブックマークエントリの順序を入れ替え、削除、タイトルの編集などの機能を持つ場合もある。ここではブックマークエントリには１から始まる項番に対応したブックマークエントリがあり、最大の項番の次の番号としてエントリを追加することが出来るブックマークに限定して説明する。
【００２５】
ブックマークとして、ＲＡＭ２０６には複数の項番（Ｎｏ）、タイトル、ＵＲＬの組のからなるブックマークエントリのリストが記憶されるものとする。図３はその一例で、既に項番１、２、３にはブックマークエントリが登録されているものとする。視聴者がＵＲＬが「ｈｔｔｐ：／／ｗｗｗ．ｓａｍｐｌｅ．ｃｏｍ／ｄａｔａ」でそのタイトルが「サンプル」のウェブページを閲覧しているとする。なお図３のＵＲＬ欄ではスキームを表す部分（ｈｔｔｐ：／／）は簡略化のために省略してある。視聴者がリモートコントローラー２０４に配置されたブックマーク登録専用のボタンを押した場合、そのボタンに対応する信号がＩＲ受信回路２０３を経てＣＰＵ２０１に伝わる。ＣＰＵ２０１はＲＯＭ２０５に格納されたプログラムに従い動作して、ＲＡＭ２０６に格納されたブックマークのブックマークエントリの項番４に、そのページのタイトルである「サンプル」とＵＲＬである「ｈｔｔｐ：／／ｗｗｗ．ｓａｍｐｌｅ．ｃｏｍ／ｄａｔａ」を登録する。図４はこの登録が終了した時点におけるＲＡＭ２０６に記憶されたブックマークエントリのリストを表している。
【００２６】
次にブックマークに記録されたウェブページを閲覧する方法を説明する。視聴者がリモートコントローラー２０４に配置されたブックマーク呼び出し専用のボタンを押した場合、そのボタンに対応する信号がＩＲ受信回路２０３を経てＣＰＵ２０１へ伝わる。ＣＰＵ２０１はＲＯＭ２０５に格納されたプログラムに従い動作して、ＲＡＭ２０６に格納されたブックマークを表示回路２１０に描画し、ディスプレイ２１３に表示する。図４は上記で説明したブックマークへの登録が終了した時点におけるブックマークリストの一例である。図５は画面にディスプレイ２１３に表示したこのブックマークリストの一例であり、簡略化のためブックマークエントリの項番とタイトルのみを表示して、ＵＲＬは表示しない。
【００２７】
視聴者はリモートコントローラー２０４を用いて、画面上のブックマークエントリを一つ選択する。選択する方法についてはリモートコントローラー２０４の数字ボタンで画面に表示されたブックマークエントリを指定する方法や、画面上に表示されたブックマークエントリを移動するカーソルとリモコンのカーソル移動ボタンを使って対話的に選択する方法などがある。ブラウザは選択されたブックマークのＵＲＬで示されるウェブページを先に説明した方法で取得・表示する。
【特許文献１】特開平１０−１７７５３２号公報
【特許文献２】特開２００２−１０８７５０号公報
【発明の開示】
【発明が解決しようとする課題】
【００２８】
新たな情報提供サービスを行う事なく、簡便な方法でテレビジョン番組とウェブページを関連付けることが出来ない。
【課題を解決するための手段】
【００２９】
ブックマークエントリを登録する際に直前に試聴していたテレビジョン番組のＥＰＧ情報を付加する。視聴中のテレビジョン番組のＥＰＧ情報を元にブックマークを検索し、該当するブックマークエントリに含まれるＵＲＬが示すウェブページを表示する。
【発明の効果】
【００３０】
本発明によれば、テレビジョン番組と関連するウェブページを簡便な方法でテレビ画面に表示させることが出来る。視聴者が関連付けを行うことによって、放送事業者などが新たな情報提供を行なわなくても実現可能であり、関連付けられるウェブページも視聴者の自由に設定できる。この機能により視聴者は従来のテレビジョン番組視聴と、放送事業者から提供されるデジタルデータ放送の閲覧に加えて、視聴中のテレビジョン番組に関連するウェブページを簡便な方法で閲覧することが出来る。
【発明を実施するための最良の形態】
【００３１】
テレビジョン番組視聴後のインターネット閲覧においてブックマーク登録を行う際に、視聴番組のＥＰＧ情報をブックマークエントリに付加して記憶する。次にテレビジョン番組視聴中に、インターネット閲覧を行う場合、視聴番組のＥＰＧ情報でブックマークを検索し、該当するブックマークエントリがあるあった場合にそのウェブページを最初に閲覧する。
【００３２】
（実施の形態１）
以下、本発明の実施の形態を図１、図６、図７を用いて説明する。
【００３３】
図１は本発明を実施するための構成図である。制御手段１０１は以下に説明する装置全体の制御を司る。動作指示手段１０２は視聴者の操作を入力し、制御手段１０１に視聴者の指示を伝える。放送受信手段１０３で受信したデジタルテレビ放送信号はＴＶ受信手段１０４でデジタルテレビ信号に復調され切替合成手段１０５を通って、映像表示手段１０６と音声出力手段１０７に伝えられ、視聴者にデジタルテレビジョン番組を提示する。
【００３４】
番組判定手段１０８はＴＶ受信手段１０４が受信するテレビ信号と、時計手段１１０から得られる現在時刻を元にＥＰＧ情報記憶手段１０９に蓄積した、ＥＰＧ情報から、視聴者が現在試聴しているデジタルテレビジョン番組のＥＰＧ情報を検索する。ブラウザ手段１１１はインターネット通信手段１１２から得られる、ウェブページの情報を画像および音声信号に変換し、切替合成手段１０５を通って、映像表示手段１０６と音声出力手段１０７に伝えられ、視聴者にウェブページを提示する。切替合成手段１０５は動作指示手段１０２から入力された視聴者の操作に基づき、制御手段１０１の指示によって、ＴＶ受信手段１０４とブラウザ手段１１１の出力の一方ないし合成した出力を生成する。
【００３５】
ブックマーク手段１１３は現在閲覧中のウェブページのタイトルとＵＲＬと前記番組判定手段１０８が検索するＥＰＧ情報からなるブックマークエントリをリストとして記録する。さらにブックマーク手段１１３は記録したブックマークから選択されたブックマークエントリのＵＲＬをブラウザ手段１１１に伝え、ブラウザ手段１１１はＵＲＬで指定されたウェブページを前述の方法によって提示する。
【００３６】
上記で説明した本発明の装置は例えば既に背景技術で説明した図２の構成の装置として実現できる。
【００３７】
視聴者が図１に示す装置を使用してテレビジョン番組を視聴しており、視聴者が動作指示手段１０２を用いてインターネットの閲覧を指示した場合、番組判定手段１０８は視聴中の番組のＥＰＧ情報を検索し一時記憶する。後の説明のため検索された番組情報が「お買い物情報」のみであるとする。なおインターネットの閲覧を指示された場合の最初に表示するウェブページは予め定めておくものとする。視聴者は動作指示手段１０２を用いて前記予め定めたウェブページを起点として、インターネットの複数のウェブページを閲覧し、所望のウェブページとして、ＵＲＬが「ｈｔｔｐ：／／ｗｗｗ．ｓａｍｐｌｅ．ｃｏｍ／」  でそのタイトルが「サンプル」を発見し、このウェブページをブックマークに登録する指示を行ものとする。ブックマーク手段１１３はブックマークエントリとして、タイトルの「サンプル」とＵＲＬ「ｈｔｔｐ：／／ｗｗｗ．ｓａｍｐｌｅ．ｃｏｍ／」に加えて、先に番組判定手段１０８が一時記憶した番組タイトルである「お買い物情報」を付加情報として、ブックマークエントリを生成し記憶する。図６は上記ブックマーク登録を行う前のブックマークの状態の一例を表している。ここでは既に３件のブックマークエントリが登録されており、上記ブックマーク登録は４件目として記憶されるものとする。図７は４件目の記憶が完了した状態を表す。
【００３８】
上記説明において、視聴中のテレビジョン番組のＥＰＧ情報として番組タイトルのみであった場合を説明したが、既に説明した通りＥＰＧ情報から得られる番組情報は番組タイトル以外の多様な情報を含んでいる。その情報全てを前述の説明の番組タイトルの代わりにブックマークエントリの付加情報として記憶することもできる。
【００３９】
上記実施の形態１の説明においてブックマークエントリに全ての番組情報を記憶する前に、番組情報の一覧を視聴者に提示して、その一部ないし全部を視聴者に選択させることによって、ブックマークエントリに記憶する付加情報を制限することができる。ここで番組情報の一覧を視聴者に提示する方法およびその一部ないし全部を選択する具体的方法の説明は省略するが、例えば番組情報に含まれる、開始時間、終了時間、番組タイトル、番組のジャンル、番組の出演者、番組の簡単な説明などの項目毎に取捨選択する方法や、これ等情報に含まれる固有名詞などの単語リストから選択する方法などがあるが、その方法はここで説明した方法に限るものではない。
【００４０】
（実施の形態２）
視聴者が図１に示す装置を使用してテレビジョン番組を視聴しており、視聴者が動作指示手段１０２を用いてインターネットの閲覧を指示した場合、番組判定手段１０８は視聴中の番組のＥＰＧ情報から、視聴中であったテレビジョン番組の番組情報を検索する。後の説明のために検索された番組情報が「ニュース」のみであったとする。ブックマーク手段１１３は上記で得られた番組情報「ニュース」をブックマークエントリの付加情報から検索し、部分一致する情報があったとする。例えばブックマーク手段１１３には図７に示す４件のブックマークエントリが登録されていたとすると２件目のブックマークエントリが該当する。ここで検索は文字列の部分一致による判定で検索方法を示したが、完全一致や類似語辞書を使った検索、文章の意味の近似性による検索方法などがあるが、その検索方法はここで説明した方法に限るものではない。ブックマーク手段１１３は上記検索により得られたブックマークエントリのＵＲＬをブラウザ手段１１１に伝え、既に説明した方法により、ＵＲＬで指定されたウェブページを取得、表示する。
【００４１】
上記の説明においてブックマークエントリの付加情報を検索する場合に、視聴中の番組情報の一覧を視聴者に提示して、その一部ないし全部を視聴者に選択させることによって、ブックマークエントリから検索する情報を制限することもできる。ここで番組情報の一部を視聴者に提示する方法およびその一部ないし全部を選択する方法に関しては前述と同様に省略する。
【００４２】
さて実施の形態１では番組視聴中にインターネット閲覧を起動した後、ブックマーク登録を行う場合を説明し、実施の形態２では同じ状態で、ブックマークの検索を行う場合を説明した。本発明の装置がどちらの動作を行うかは、動作指示手段１０４での操作で区別することができる。例えばリモコンにインターネット閲覧を起動するボタンを２つ用意し、上記二動作選択させるこができる。
【００４３】
またインターネットを閲覧を起動するボタンを一つのみ用意し、まず実施の形態２に示す方法でブックマーク検索を行い、該当するブックマークエントリがある場合は、そのウェブページを予め定めたウェブページとして取得・表示するように構成することができる。さらにその場合であっても、視聴者が複数のページを閲覧した後にブックマーク登録を行う場合、実施の形態１の動作を行うよう構成してもよい。
【産業上の利用可能性】
【００４４】
本発明のテレビ番組と連携するウェブページをテレビ画面に表示する装置は、テレビジョン番組視聴と視聴中のテレビジョン番組に関連するウェブページを視聴者が関係付けることによって、テレビジョン番組視聴中に関係付けられたウェブページを閲覧することが出来る機能を有しており、テレビジョン番組と関連するウェブページをテレビ画面に表示させることが出来る装置として有用である。
【図面の簡単な説明】
【００４５】
【図１】本発明の装置の機能構成図
【図２】背景技術を説明するための装置の構成図
【図３】従来のブックマークの説明図
【図４】ブックマーク登録を行った後の従来のブックマークの説明図
【図５】ブックマークリストの表示例を示す図
【図６】本発明によるブックマークの説明図
【図７】ブックマーク登録を行った後の本発明によるブックマークの説明図
【符号の説明】
【００４６】
１０１    制御手段
１０２    動作指示手段
１０３    放送受信手段
１０４    ＴＶ受信手段
１０５    切替合成手段
１０６    映像表示手段
１０７    音声出力手段
１０８    番組判定手段
１０９    ＥＰＧ情報記憶手段
１１０    時計手段
１１１    ブラウザ手段
１１２    インターネット通信手段
１１３    ブックマーク手段
【図１】
2006041856.tif 000003
【図２】
2006041856.tif 000004
【図３】
2006041856.tif 000005
【図４】
2006041856.tif 000006
【図５】
2006041856.tif 000007
【図６】
2006041856.tif 000008
【図７】
2006041856.tif 000009